(57)【要約】  【課題】  雨水の浄化作用を有するとともに、地下に貯留した雨水を徐々に地中に浸透させることができる地下貯留槽を提供すること。  【解決手段】  地中に形成された雨水を貯留する貯留部１０と、前記貯留部１０内の一部又は全部に埋設される粒径１ｍｍ〜２００ｍｍのガラス質廃材を粉砕して得られるガラス粉を軟化点以上に加熱焼成した後、冷却してなるガラス質発泡体４０と、前記貯留部１０の底面及び側方下方領域を覆う非透水性のプラスチックシート２０と、を備えることによって、貯留部１０の雨水をｐＨ９以上にアルカリ化して貯水することができ、雨水が腐食することを防止した。【選択図】図１
2011168957.tif 000002
【特許請求の範囲】
【請求項１】
地中に形成された雨水を貯留する貯留部と
前記貯留部内側の一部又は全部に埋設される粒径１ｍｍ〜２００ｍｍのガラス質廃材を粉砕して得られるガラス粉を軟化点以上に加熱焼成した後、冷却してなるガラス質発泡体と、
前記貯留部の底面及び側方下方領域を覆う非透水性の第１シート部材と、を備え、
前記貯留部の雨水をｐＨ９以上にアルカリ化することができることを特徴とする雨水貯留槽。
【請求項２】
前記貯留部の側方上方領域を覆う透水性又は通水性の第２シート部材を備えていることを特徴とする請求項１に記載の雨水貯留槽。
【請求項３】
埋設された前記ガラス質発泡体の上面に透水性又は通水性を有する第３シート部材を敷設したことを特徴とする請求項１又は２に記載の雨水貯留槽。
【請求項４】
前記貯留部の上方の平面面積が下方の平面面積より大きいことを特徴とする請求項１から３のいずれかに１項に記載の雨水貯留槽。
【請求項５】
前記ガラス質発泡体は、全重量に対し、５〜２５重量％の酸化カルシウムを含有してなることを特徴とする請求項１から４のいずれか１項に記載の雨水貯留槽。
【請求項６】
前記ガラス質発泡体は、吸水率が３０％以上であることを特徴とする請求項１から５のいずれか１項に記載の雨水貯留槽。
【発明の詳細な説明】
【技術分野】
【０００１】
本発明は、宅地の庭、公園、駐車場、敷地等の地下に設置される雨水貯留槽に関する。
【背景技術】
【０００２】
従来、雨水の地下貯留槽としては、例えば、特許文献１に開示された地下貯留槽がある。係る地下貯留槽は、地中に雨水を貯留する貯留部を形成し、この貯留部のオーバーフロー部から下側の天面、側面及び底面に通水部と透水面を有する通水・透水シートを添設したものである。
【０００３】
しかし、係る地下貯留槽は、方形の梁体四隅に４本の支持脚が設けられた合成樹脂性の充填材を内部に敷き詰めるものであるため、雨水の浄化作用を有するものではなかった（特許文献１  段落番号「００３７」、図６参照）。そのため、内部の水が腐食し易く、かつ充填材が汚れやすいことから、２〜３年おきに充填材を交換する必要があるという課題があった。また、雨水はあくまでオーバーフロー部まで貯留しなければ、地中に雨水を浸透させることができないという課題もあった。さらに、地下貯留槽を廃棄する場合には、内部の充填材を取り除いた後に土壌等で埋め戻す必要があるという課題があった。
【特許文献１】特開２００９−５２３６６号公報
【発明の開示】
【発明が解決しようとする課題】
【０００４】
そこで、本発明は、こうした課題を鑑みてなされたものであり、雨水の浄化作用を有するとともに、地下に貯留した雨水を徐々に地中に浸透させることができる地下貯留槽を提供することを主目的とする。
【課題を解決するための手段】
【０００５】
本発明は、上述の目的を達成するために、以下の手段を採った。
【０００６】
本発明に係る雨水貯留槽は、
地中に形成された雨水を貯留する貯留部と
前記貯留部内の一部又は全部に埋設される粒径１ｍｍ〜２００ｍｍのガラス質廃材を粉砕して得られるガラス粉を軟化点以上に加熱焼成した後、冷却してなるガラス質発泡体と、
前記貯留部の底面及び側方下方領域を覆う非透水性の第１シート部材と、を備え、
前記貯留部の雨水をｐＨ９以上にアルカリ化することができることを特徴とする。
【０００７】
本発明は、地中に貯留部を有し、この貯留部にガラス質廃材を粉砕して得られるガラス粉を軟化点以上に加熱焼成した後冷却してなるガラス質発泡体を埋設したものである。埋設したガラス質発泡体の気泡に雨水を浸透させ、かつガラス質発泡体間の間隙に雨水を留めることにより、雨水を貯留するものである。すなわち、ガラス質発泡体が保水材としての役割を有するものである。従って、貯留部の底面と側方下方領域をポンプ等で水を有効利用するのに必要な深さ分のみ非透水性の第１シートを覆っておけば、貯留槽の側方上方領域をシートで覆うことなく、貯留槽としての機能を有する。また、ガラス質発泡体の気泡に浸透した移動性の低い雨水と、ガラス質発泡体の間に貯留する流動性の高い雨水を有するので土壌に雨水が徐々に浸透する。すなわち、雨が降った直後は、ガラス質発泡体間の間及び気泡に雨水が浸透する。そして、ガラス質発泡体の間に貯留する比較的流動性の高い水が地中に浸透し、その後、乾燥状態に応じて、ガラス質発泡体の気泡内の雨水が土壌に浸透することになる。さらに、貯留部底面及び側方下方領域に非透水性の第１シート部材を配設してあるので、貯留部の下方の第１シート部材の内側に雨水を完全に貯留することができる。この下層に溜まった雨水は毛細管現象によって埋設されたガラス質発泡体間及び気泡を通じて上面まで上がっていくので、貯留部に溜まった雨水が完全になくなるまで地中に雨水を浸透させる能力を有する。なお、ポンプ等を設置すれば、下層に溜まった雨水を庭園や菜園などの水まきに利用したり、庭、家屋又は自動車等の洗浄に使用したり、エアコン等の冷却水として使用することができる。さらに、ガラス質発泡体は、それ自体が浄化作用を有するので、多少の土壌がガラス質発泡体側に進出しても、濾過作用によって下層に溜まる雨水は透明性が高く浄化された雨水となる。さらにガラス質発泡体はアルカリ性であるので、雨水貯留槽に貯留する雨水はｐＨ９以上にアルカリ化される。従って、雨水の腐食を防止し、大腸菌等の細菌類の繁殖を抑制することができる。さらに、廃棄する場合に、ガラス質発泡体はガラスのリサイクル製品であるため、そのまま土壌として処分可能であるという効果も有する。
【０００８】
また、本発明に係る雨水貯留槽として、前記貯留部の側方上方領域を覆う透水性又は通水性の第２シート部材を備えていてもよい。係る構成を採用することによって、水の浸透スピードの遅い第２シート部材を使用すれば、貯留部上方領域のガラス質発泡体に溜まった雨水が土壌に浸透していくスピードをさらに調整することができる。また、側面から土壌が内部に進出するのを防止することができる。
【０００９】
また、本発明に係る雨水貯留槽として、埋設された前記ガラス質発泡体の上面に透水性又は通水性を有する第３シート部材を敷設してもよい。係る構成を採用することによって、雨水貯留槽の上面に載置された盛土から土壌がガラス質発泡体側に進出することを防止することができる。
【００１０】
また、本発明に係る雨水貯留槽として、前記貯留部の上方の平面面積が下方の平面面積より大きいものとしてもよい。本発明に係る雨水貯留槽は、上方部分の平面面積が下方の平面面積より大きく、側方方向に延出するように配設したとしても、ガラス質発泡体によって雨水を保水できるので、延出部分も雨水貯留機能を有することができる。また、地中面と接する面積が増加するので、より効率的に雨水を地中に浸透させることができる。
【００１１】
また、本発明に係る雨水貯留槽として、前記ガラス質発泡体は、全重量に対し、５〜２５重量％の酸化カルシウムを含有していてもよい。係る構成を採用することによって、雨水をアルカリ化させ、より確実に長期間ラングリア係数を高く保つことがきるようになる。
【００１２】
また、本発明に係る雨水貯留槽として、前記ガラス質発泡体は、吸水率が３０％以上であってもよい。係る吸水率を有するガラス質発泡体を使用することで、より効率的に雨水を保水することができる。
【発明の効果】
【００１３】
本発明に係る発明によれば、雨水の浄化作用を有するとともに、地下に貯水された雨水を地下水槽内に保持する効果が高い地下貯留槽とすることができる。また、地下貯留槽を廃棄する場合に、内部の充填材を取り除くことなく廃棄することができる地下貯留槽とすることができる。
【図面の簡単な説明】
【００１４】
【図１】本発明の第１の実施形態に係る雨水貯留槽１００を示す正面断面図である。
【図２】本発明の第１の実施形態に係る雨水貯留槽１００の変形例を示す正面断面図である。
【図３】本発明の第２の実施形態に係る雨水貯留槽１００を示す正面断面図である。
【図４】本発明の第３の実施形態に係る雨水貯留槽１００を示す正面断面図である。
【図５】本発明の第４の実施形態に係る雨水貯留槽１００を示す正面断面図である。
【発明を実施するための形態】
【００１５】
以下、本発明を実施するための形態について、図面に沿って詳細に説明する。なお、以下に説明する実施の形態及び図面は、本発明の実施形態の一部を例示するものであり、これらの構成に限定する目的に使用されるものではない。また、各図において対応する構成要素には同一又は類似の符号が付されている。
【００１６】
ここで、本発明を実施するための形態を説明するにあたり、本実施の形態の構成要素と本発明の構成要素との対応関係を明らかにする。本実施の形態における第１貯留部１２及び第２貯留部１３が貯留部に相当し、非透水性プラスチックシート２０が第１シート部材に相当し、通水性又は透水性シート２３が第２シート部材に相当し、カバーシート２５が第３シート部材に相当する。その他の用語は特許請求の範囲と共通である。
【００１７】
（第１実施形態）
図１は、第１の実施形態に係る雨水貯留槽１００の構成の概略を示す正面断面図である。雨水貯留槽１００は、宅地の庭、公園、駐車場等の地下に設けられるものであり、図１に示すように雨水を貯留する貯留部１０と、この貯留部１０の底面及び側方下方領域を覆うように配設された非透水性プラスチックシート２０と、貯留された雨水を汲み上げる揚水ポンプ装置３０と、貯留部１０内に埋設されたガラス質発泡体４０と、を備えている。
【００１８】
貯留部１０は、地面を掘削して穴を空けて形成される。掘削される穴の形状は特に限定するものではない。本実施の形態においては、貯留部１０は直方体に形成され、後に説明するポンプ装置３０の取水口３３を配置できるように一部が一段低く掘り下げた取水部１１が形成されている。しかしながら、本発明の雨水貯留槽１００内に配設されるのは、粒状のガラス質発泡体４０であり、後述するように単に埋設するだけであるため貯留部１０の形状に対する自由度が高いので、貯留部１０の形状は特に限定するものではなく、平面視で円形、楕円形のほか、多角形等いかなる形状であってもよい。また、底面も水平平面である必要はなく、図２に示すように底面を斜めに設けてもよい。係る底面を採用すれば、雨水は下方へ流れていくので一部を一段低く形成した取水部１１を設ける必要もなくなる。
【００１９】
非透水性プラスチックシート２０は、貯留部１０の底面及び側面の下方領域を覆うように配設される。従って、側面に配設された非透水性プラスチックシート２０の高さまでは、雨水が完全に内部に貯留され、第１貯留部１２（斜めにハッチングされた部分）が形成される。非透水性プラスチックシート２０の高さは、特に限定するものではなく、貯水したい雨水の貯水量、地中に浸透させた雨水の量等に応じて適宜設定することができる。非透水性のプラスチックシートの素材としては、塩化ビニルシート、ポリエチレンシート、ポリプロピレンシート等が使用されるが、これらに限定するものではない。
【００２０】
揚水ポンプ装置３０は、第１貯留部１２に溜まった雨水を汲み上げるための電動ポンプ３１と、取水部１１に配置される取水口３３と、電動ポンプ３１と取水口３３とを接続し雨水を通過させる取水管３２と、を備えている。揚水ポンプ装置３０によって汲み上げられた雨水は、庭園や菜園などの水まきに利用したり、庭、家屋又は自動車等の洗浄に使用したりすることができる。なお、電動ポンプ３１は必ずしも電動である必要はなく、手動であっても構わない。
【００２１】
ガラス質発泡体４０は、ガラス質廃材を粉砕して得られるガラス粉を軟化点以上に加熱焼成した後、冷却することで作製される。粒径は１ｍｍ〜２００ｍｍのものが好ましい。１ｍｍ以下のものを用いると雨水の流れが悪くなり、２００ｍｍ以上のものであるとガラス質発泡体間の空隙が大きくなりすぎて、空隙間の雨水の貯留性能が低下し、土砂が流入し易くなるため好ましくない。より好ましくは５ｍｍ〜１００ｍｍである。また、気泡は、独立気泡型であっても連続気泡型であってもよい。吸水率３０％以上の連続気泡型のガラス質発泡体を使用すれば、保水率が高くなり、雨水の貯留性が高くなる。また、ガラス質発泡体４０の成分として、全重量に対し、５〜２５重量％の酸化カルシウムを含有させてもよい。係る構成のガラス質発泡体４０を採用することで、通過した雨水を長期間ｐＨ９以上に保つことができ、高いランゲリア係数を有する雨水を貯留することができる。
【００２２】
ガラス質発泡体４０は、第１貯留部１２に敷き詰められた後、図１の符号５０の仮想線で示す第２貯留部１３にまで、埋め戻す表面の盛土部分を残して敷き詰められる。従って、非透水性プラスチックシート２０より上方においては、ガラス質発泡体４０は土壌に直接接触した状態で敷き詰められることになる。その後盛土を埋め戻して、地中に地下貯留槽１００が構築される。盛土の深さは、１０ｃｍ以上であればよいが、雨水の浸透状況を勘案すると、１０ｃｍから５０ｃｍ程度に設定するとよい。
【００２３】
こうして作製された雨水貯留槽１００は、第１貯留部１２においては、雨水を地中に浸透させることなく、完全に雨水を貯留することができ、揚水ポンプ３０により取水すれば雨水を有効に活用することができる。一方、第２貯留部１３においては、矢印Ａに示したように、最初はガラス質発泡体４０間の空隙を流れる雨水が徐々に地中へ浸透していくことになる。この際に、ガラス質発泡体４０は、気泡内に雨水を保水するため、第２貯留部１３の周囲に遮水用のシートが存在しなくても、短期間に雨水を地中へ浸透させることなく、一部の雨水を貯留することができる。そして、ガラス質発泡体４０間の空隙を流れる雨水が少なくなると、ガラス質発泡体４０の気泡に浸透した雨水が徐々に地中に浸透していくことになる。
【００２４】
また、ガラス質発泡体４０は気泡を多数有するので、ガラス質発泡体４０を通過すれば水は浄化され、浄水が第１貯留部１２に貯留されることになる。そのため、草木の水やりや車や庭の洗浄等には十分に使用可能な水となる。さらに、ガラス質発泡体４０はアルカリ性であるため、通過した水はｐＨ９以上のアルカリ性となる。従って、雨水の腐食を防止する効果を有するとともに、大腸菌等の最近の増殖を抑制する効果を有する。こうした効果の結果、雨水貯留槽１００はメンテナンスをする必要がなく、長期間機能を維持することができる。
【００２５】
さらに、廃棄する場合、ガラス質発泡体４０はガラスのリサイクル製品であるため、そのまま土壌として処分可能であり、産業廃棄物が発生することがない。
【００２６】
さらに、貯留部１０周囲をコンクリート等で固定する必要がなく雨水貯留槽１００の施工の大部分を重機のみで行うことができ、手作業による作業をほとんど必要としないので、工期を短縮することができるとともに労力を節約することができる。また、基礎を構築する必要もないので、さらに工期を短くすることができる。
【００２７】
さらに、雨水貯留槽１００の上面に花壇等の草木を植えた場合には、第２貯留部１３のガラス質発泡体４０に保水された水が適切に、盛土に湿り気を与えるので、水を撒く手間を軽減することができる。
【００２８】
（第２実施形態）
図３は、第２の実施形態に係る雨水貯留槽１００の構成の概略を示す正面断面図である。第２の実施形態の雨水貯留槽１００は、第１の実施の形態の雨水貯留槽１００に対して第２貯留部１３の側面に通水性又は透水性シート２３を配設している点のみが異なる。その他の点については第１の実施形態と同様であるので、説明を省略する。
【００２９】
通水性又は透水性シート２３としては、細孔が形成されたプラスチックシートや不織布等が使用される。通水性又は透水性シート２３は、第２貯留部１３の側面に配設されて、第２貯留部１３に浸透した雨水が地中に浸透するスピードをさらに調整したり、土壌がガラス質発泡体内に浸透したりするのを防止するためのものである。土壌も一定量ガラス質発泡体４０内に進出すれば、それ以上の浸透を抑える効果を有するが、通水性又は透水性シート２３を配設することによって、より効果的なものとなる。
【００３０】
（第３実施形態）
図４は、第３の実施形態に係る雨水貯留槽１００の構成の概略を示す正面断面図である。第３の実施形態の雨水貯留槽１００は、第２の実施の形態の雨水貯留槽１００に対して第２貯留部１３の上面に通水性又は透水性のカバーシート２５を配設している点のみが異なる。その他の点については第２の実施形態と同様であるので、説明を省略する。
【００３１】
カバーシート２５としては、細孔が形成されたプラスチックシートや不織布等が使用される。カバーシート２５は、第２貯留部１３の上面に配設されて、盛り土の土壌がガラス質発泡体内に進出するのを防止するためのものである。基本的にガラス質発泡体４０自体に土壌が一定量ガラス質発泡体４０内に浸透すれば、それ以上の浸透を抑える効果を有するが、カバーシート２５配設することで、完全に土壌の進出を防止することができる。
【００３２】
（第４実施形態）
図５は、第４の実施形態に係る雨水貯留槽１００の構成の概略を示す正面断面図である。第４の実施形態の雨水貯留槽１００は、第１の実施の形態の雨水貯留槽１００に対して第２貯留部１３の平面面積が第１貯留部１２の平面面積と比較して大きく形成され、第２貯留部の側面には、通水性又は透水性シート２３が配設されている点が異なる。その他の点については第２の実施形態と同様であるので、説明を省略する。係る構成を採用することによって、第２貯留部１３に保水する雨水を増加することができるとともに、第２貯留部１３の下面から地中に容易に雨水を浸透させやすくなる。
【実施例１】
【００３３】
実施例１として、畑地に穴を掘削し、周囲をビニルシートで覆った９０リットルの雨水貯留槽を作製した。実施例１の雨水貯留槽には、ガラス質（廃ガラス成分）７３．５重量％、酸化カルシウム１２．１重量％、酸化ナトリウム１０．５重量％、酸化アルミニウム１．５７重量％を含有するガラス質発泡体を埋設した。比較例として、畑地に同様の穴を穿設し、周囲をビニルシートで覆った９０リットルの雨水貯留槽を作製し、内部に何も埋設しなかった。両方の貯留槽に事前に採取した雨水を注ぎ入れ、比較条件を同一とするため実施例１及び比較例１の両方の上面を防水性のシートで覆い、３日後、約１ヶ月後、約２ヶ月後に、雨水を取水して水質を検査した。検査結果を表１及び表２に示す。
【表１】
2011168957.tif 000003
【表２】
2011168957.tif 000004
【００３４】
濁度については、比較例１は、特に３ヶ月後に著しく濁った水が検出された。一方、実施例１には、ほとんど濁りが目視できなかった。これはガラス質発泡体の浄化作用によるものが大きいと思われる。
【００３５】
ｐＨについては、比較例１は、８．１２から８．６４と８を少し超える程度のｐＨを示した。これに対し、実施例１は、３日後、約１ヶ月後、約２ヶ月後いずれの時点においても９を超えるｐＨの値を示し、アルカリ化が進んでいることを示している。
【００３６】
ラングリア指数については、比較例１は、３日後に−０．９６と低い数値になっているが、１ヶ月後、２ヶ月後には、０．０４の数値を示し、安定した。一方、実施例１は、３日後、１ヶ月後、２ヶ月後ともに、０．７９から１．０２と高い数値を示した。なお、ランゲリア指数とは、水の腐食性と炭酸カルシウム被膜形成の目安となる数値とされ、以下の数１で算出される。数値が大きいほど炭酸カルシウムの析出が起こりやすく非腐食性が高くなる。多くの実例から−１．０程度以上であれば、非腐食効果は期待できる。
（数１）
ランゲリア指数＝ｐＨ−ｐＨｓ
ただし、ｐＨｓ＝８．３１３―ｌｏｇ（Ｃａ２＋）−ｌｏｇ（Ａ）＋ｓ
ｐＨ：水の実際のｐＨ値
ｐＨｓ：平衡状態にあるときのｐＨ値
ｌｏｇ（Ｃａ２+）：カルシウムイオン濃度の対数 
ｌｏｇ（Ａ）：
総アルカリ度の対数
ｓ：補正値
【００３７】
以上の数式より、非腐食性を高める（ランゲリア指数を上げる）には、ｐＨを上げる、アルカリ度を上げる、又はカルシウムイオン濃度を上げるのいずれかによって達成されることがわかる。今回の実験においては、実施例、比較例ともに非腐食性効果が期待できるが、その要因は異なっている。実施例においてランゲリア指数を高めている要因は、アルカリ度が高いことにある。実施例においてアルカリ度が高いことはガラス質発泡体に起因していることが大きな要因であり、その結果、強い非腐食性を維持している。一般に貯留槽は、水をアルカリに保つために石灰を投入しているが、本雨水貯留槽ではその必要がない。一方、比較例は、弱い非腐食性を示しているが、これはカルシウムイオンの多さが要因であると思われる。カルシウムイオンは、土壌からの供給であると思われる。こうした比較から実施例では、カルシウムイオンが析出している状態であるのに対し、比較例ではイオンの状態で遊離しているものと考える。なお、アルカリ度の測定には、ｐＨ４．３の酸を使用し、ｐＨ７．０に中和するまでの酸の消費量を測定した。
【００３８】
大腸菌群数については、比較例では、３日後、約１ヶ月後、約２ヶ月後がそれぞれ０、５５、７８と徐々に大腸菌の増加が認められた。これに対し、実施例は、１から２ｎ／ｍｌときわめて低いレベルでしか確認されなかった。実施例で大腸菌群数が極端に少なかった要因としては、ガラス質発泡体による水質のアルカリ化であると考えられる。大腸菌等の細菌類は、強アルカリの状態を嫌う傾向にあり、畑地での実験であるという条件を加味すると、実施例では増殖しないと発明者らは考えられる。
【産業上の利用可能性】
【００３９】
上述した実施の形態で示すように、雨水を貯留するための雨水貯留槽として利用することができる。
【符号の説明】
【００４０】
１０…貯留部、１１…取水部、１２…第１貯留部、１３…第２貯留部、２０…非透水性プラスチックシート、２３…通水性又は透水性シート、２５…カバーシート、３０…揚水ポンプ装置、３１…電動ポンプ、３２…取水管、３３…取水口、４０…ガラス質発泡体、１００…雨水貯留槽。
【図１】
2011168957.tif 000005
【図２】
2011168957.tif 000006
【図３】
2011168957.tif 000007
【図４】
2011168957.tif 000008
【図５】
2011168957.tif 000009
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
地中に形成された雨水を貯留する貯留部と
前記貯留部内側の一部又は全部に埋設される粒径１ｍｍ〜２００ｍｍのガラス質廃材を粉砕して得られるガラス粉を軟化点以上に加熱焼成した後、冷却してなるガラス質発泡体と、
前記貯留部の底面及び側方下方領域を覆う非透水性の第１シート部材と、
を備え、
前記貯留部は、側面に配設された第１シート部材の高さまで雨水が内部に貯留される第１貯留部と、ガラス質発泡体の間及び気泡内に雨水を保水し、ガラス質発泡体の空隙を流れる雨水が徐々に地中へ浸透していく貯留槽としての機能を有する第２貯留部とを有し、
前記貯留部の雨水をｐＨ９以上にアルカリ化することができることを特徴とする雨水貯留槽。
【請求項２】
前記貯留部の側方上方領域を覆う透水性又は通水性の第２シート部材を備えていることを特徴とする請求項１に記載の雨水貯留槽。
【請求項３】
埋設された前記ガラス質発泡体の上面に透水性又は通水性を有する第３シート部材を敷設したことを特徴とする請求項１又は２に記載の雨水貯留槽。
【請求項４】
前記貯留部の上方の平面面積が下方の平面面積より大きいことを特徴とする請求項１から３のいずれかに１項に記載の雨水貯留槽。
【請求項５】
前記ガラス質発泡体は、全重量に対し、５〜２５重量％の酸化カルシウムを含有してなることを特徴とする請求項１から４のいずれか１項に記載の雨水貯留槽。
【請求項６】
前記ガラス質発泡体は、吸水率が３０％以上であることを特徴とする請求項１から５のいずれか１項に記載の雨水貯留槽。